(57)【要約】【課題】  操作部の位置あるいは姿勢を使用者の使い易いように変更可能とした表示装置を提供する。【解決手段】  表示装置１は、ドーナツ状を有する把持部２と、この把持部２の内側に複数の接合部４を介して保持される縦長の表示部３Ａと、把持部２に着脱可能に設けられ、画像の表示等を変更等の操作を行うためのトラックボール５１およびマウスボタン５２Ａを組み込んだ操作ブロック５０を有する第１の操作部５Ａと、画像の上下左右方向の動き等を指示する十文字キー５３を組み込んだ操作ブロック５０を有する第２の操作部５Ｂと、表示部３Ａに設けられた電源スイッチ７とを備える。ユーザが表示装置１のいずれかの部位を把持する場合であっても、操作部５Ａ，５Ｂは、任意の位置に取り付けることができるので、容易に操作することができる。【選択図】    図１
2005339239.tif 000002
【特許請求の範囲】
【請求項１】
画像を表示する表示部と、
前記表示部に対して位置あるいは姿勢を変更可能に設けられ、前記画像に関する操作を行う操作部とを備えたことを特徴とする表示装置。
【請求項２】
前記操作部は、トラックボール，マウス，十字キー等のポインティングデバイスであることを特徴とする請求項１記載の表示装置。
【請求項３】
前記操作部は、前記表示部に表示される画像を記憶する記憶部であることを特徴とする請求項１記載の表示装置。
【請求項４】
前記操作部は、前記表示部に表示するための画像を撮像するカメラであることを特徴とする請求項１記載の表示装置。
【請求項５】
前記操作部は、音声信号を入力するマイクであることを特徴とする請求項１記載の表示装置。
【請求項６】
前記表示部は、座標の入力および前記画像の表示が可能な画面を有することを特徴とする請求項１記載の表示装置。
【請求項７】
画像を表示する表示部と、
前記表示部を支持する筐体と、
前記筐体の周辺に沿って形成された案内部と、
前記案内部に移動可能に設けられ、前記画像に関する操作を行う操作部とを備えたことを特徴とする表示装置。
【請求項８】
画像を表示する表示部と、
前記表示部との間に手指が挿入可能な空隙を有するように形成された把持部と
前記把持部に沿って形成された案内部と、
前記案内部に移動可能に設けられ、前記画像に関する操作を行う操作部とを備えたことを特徴とする表示装置。
【請求項９】
前記操作部は、前記表示部の表示面に対する角度を調整可能な角度調整機構を備えたことを特徴とする請求項７又は８記載の表示装置。
【請求項１０】
前記操作部は、前記筐体あるいは前記把持部に着脱可能に設けられたことを特徴とする請求項７又は８記載の表示装置。
【請求項１１】
前記把持部は、レールと、前記レール上を移動可能に設けられ、ジャックを有する複数の端子ブロックとを備え、
前記操作部は、前記ジャックに機械的および電気的に接続されるプラグを有する操作ブロックを備えたことを特徴とする請求項７記載の表示装置。
【発明の詳細な説明】
【技術分野】
【０００１】
本発明は、画像を表示する表示部と、画像に関する操作を行う操作部とを有する表示装置に関し、特に、操作部の位置あるいは姿勢を使用者の使い易いように変更可能とした表示装置に関する。
【背景技術】
【０００２】
近年、電子ドキュメントの閲覧をＣＲＴやＬＣＤ（液晶ディスプレイ）などのＰＣ（パーソナルコンピュータ）モニタ上で行う頻度が極めて高まっている。これらのモニタは、装置の形態として机上に据え置く型のものが多く、作業者は椅子に座った姿勢で机上に設置された垂直に立てかけた画面を観察することを余儀なくされている。この位置でのドキュメント閲覧や操作では、作業者とモニタ画面までの距離や相対する角度がほぼ固定化されてしまうため、作業者の姿勢も固定化されがちになり、身体的疲労や注視し続けることによる眼精疲労などが作業上の問題として指摘されている。
【０００３】
そのような中で、近年、タブレットＰＣという可搬性を有したパネル状のＰＣも開発されている。この従来のタブレットＰＣは、例えば、厚さ１０ｍｍ程度の直方体状の筐体と、筐体の中央に設けられ、画像を表示する画像表示部と、各種の操作を行う操作部とを備えたものである。
【０００４】
この操作部は、筐体の画像表示部の周囲に固定して設けられた操作ボタン、スライドスイッチ等から構成される。このタブレットＰＣによれば、ユーザがそのタブレットＰＣを両手に保持し、保持した手の指で操作部を操作し、あるいは机上または膝の上に置いて片手でタブレットＰＣを保持し、他方の手で操作部を操作し、画像表示部に表示する画像の変更等を行うことができる。
【０００５】
また、他の従来の表示装置として、見開き２面に画像を表示する表示部を備えた電子書籍用端末が提案されている（例えば、特許文献１参照。）。
【０００６】
特許文献１に記載された電子書籍用端末は、直方体形状の筐体に組み込んだ操作表示部を２つ組み合わせ、見開き２面に画像を表示するものであり、操作表示部は、タッチパネルを表示部に取り付けたものである。この電子書籍用端末は、ユーザが片手で保持し、他方の手でタッチパネルの所定の個所を指またはペンを用いて押圧することにより、ページめくり等の操作が行われる。この電子書籍用端末によれば、見開き２面に画像を表示できるため、多くの表示情報を提供することができる。
【特許文献１】特開２０００−３５３１７０号公報（図１）
【発明の開示】
【発明が解決しようとする課題】
【０００７】
しかし、従来の電子書籍用端末によると、操作部が固定した位置に設けられているため、ユーザが筐体を手に持ってドキュメントを閲覧しながらページめくりなどの操作を行う場合、常に同じ場所を手で保持しなければならず、手に持てるビューワの利点である持ち方や自由度が十分達成されていない。また、縦画面や横画面でドキュメントを閲覧する際、手に持つ位置が変わっても、操作部の位置は変わらないため、使いにくい。
【０００８】
また、従来のタブレットＰＣによると、表示部と別体になっている専用ペンにより追記や指示操作が可能であるが、専用ペンのために片手を占有してしまうため、様々なドキュメント操作の全てに適しているとは言いがたい。
【０００９】
従って、本発明の目的は、操作部の位置あるいは姿勢を使用者の使い易いように変更可能とした表示装置を提供することにある。
【課題を解決するための手段】
【００１０】
本発明は、上記目的を達成するため、画像を表示する表示部と、前記表示部に対して位置あるいは姿勢を変更可能に設けられ、前記画像に関する操作を行う操作部とを備えたことを特徴とする表示装置を提供する。
【００１１】
「画像に関する操作」には、情報の閲覧、加工、保存処理等が含まれる。「情報の閲覧」のための操作部には、ページめくりボタン、ページジャンプボタン、上下左右方向のカーソルキー、トラックボール，マウス等のポインティングデバイス等を用いることができる。「情報の加工」のための操作部には、閲覧する情報として新規に追加したり、既存の情報に挿入する画像等を撮像するカメラやスキャナ等の入力機器や、位置情報を取得可能なＧＰＳ（Global Positioning System）装置や高度計、閲覧情報に対する文字、図形、アンダーライン等の追記、情報のカット、コピーおよびペースト等を行うデバイスを用いることができる。「情報の保存処理」のための操作部には、フラッシュメモリ、磁気メモリ、光学メモリ、ＲＦＩＤタグとして利用されている非接触ＩＣメモリ等のデジタルメモリを用いることができる。
【発明の効果】
【００１２】
本発明の表示装置によれば、操作部の位置あるいは姿勢を使用者の使い易いように変更することができる。
【発明を実施するための最良の形態】
【００１３】
［第１の実施の形態］
図１は、本発明の第１の実施の形態に係る表示装置を示し、（ａ）は、平面図、（ｂ）は、（ａ）のＡ−Ａ線に沿う断面図である。
【００１４】
この表示装置１は、ドーナツ状を有する把持部２と、この把持部２の内側に複数の接合部４によって縦長で保持され、画像の表示と押圧操作による座標入力が可能な矩形状の表示部３Ａと、把持部２に着脱可能に設けられ、各種の操作を行うための第１および第２の操作部５Ａ，５Ｂと、表示部３Ａに設けられた電源スイッチ７と、後述する筐体３１に着脱可能に設けられ、後述するタッチパネル３２に対して座標入力を行うためのタッチパネル用ペン８とを備える。
【００１５】
把持部２の厚さは、表示部３の厚さよりも厚く形成されている。すなわち、この表示装置１を平坦面の上に載置したときに、表示部３Ａが平坦面に接触しないように、表示部３Ａの外端面は、把持部２の外端面よりも内側に構成されている。また、把持部２は、手指で握りやすいような外径（例えば、直径３０ｍｍ）を有し、軽量化のため、断面形状が中空構造となっており、アルミニウム，樹脂等から形成されている。さらに、把持部２の表面は、微小な凹凸や多孔を有するゴムやウレタン樹脂等からなる柔軟層を形成している。また、把持部２は、表示部３Ａとの間に手指を挿入することができる空隙を備える。
【００１６】
また、把持部２を木材により構成してもよい。これにより、木材の吸湿性が良好なため、発汗時においても握り手が滑りにくくなる。また、把持部２表面の塗装を表面が微小な凹凸になる塗装材や塗装方法にすることで、発汗時においても握りにくくならない。
【００１７】
また、把持部２は、空隙部に手指を挿入して手指でつかむことができるものであれば、その形状は問わない。例えば、Ｌ字状のもの、把持部２に握りやすくするために凹凸を設けたものであってもよい。
【００１８】
第１の操作部５Ａは、表示部３Ａに表示されるカーソルの移動操作を行うためのトラックボール５１、および確定操作等を行うためのマウスボタン５２Ａを組み込んだ操作ブロック５０を有する。第２の操作部５Ｂは、閲覧しているドキュメントのページめくりやスクロールを指示する十文字キー５３を組み込んだ操作ブロック５０を有する。第１および第２の操作部５Ａ，５Ｂは、図中実線で描いた位置に取り付けてあるが、２点鎖線で示すように把持部２の内側の任意の位置に変更することができるように構成されている。この構成の詳細は、後述する。
【００１９】
表示部３Ａは、接合部４により把持部２に固定された筐体３１と、筐体３１に保持され、座標入力部としてのタッチパネル３２、画像を表示する表示部としてのＬＣＤ３３、画像の表示制御を行う制御基板３５、冷陰極管３６、および冷陰極管３６による発光光を導光してＬＣＤ３３のバックライトとする導光板３４からなる画面部３０とを備える。なお、冷陰極管３６の代わりに、白色ＬＥＤ（発光ダイオード）、ＥＬ（エレクトロミネッセンス）等を用いることができる。
【００２０】
制御基板３５は、プリント基板上に、後述する入力コントローラ、制御部、タッチパネルコントローラ、ＬＣＤコントローラ、画像メモリ、通信部、バッテリー等を搭載したものである。
【００２１】
タッチパネル３２は、例えば、抵抗膜方式（感圧方式）であり、ガラス面上に透明電極、スペーサ、透明電極、および最上面にフィルムを積層してなるものである。通常は、透明電極間は通電せず、フィルム上に設定れた座標を指またはタッチパネル用ペン８により押圧することにより、２枚の透明電極間が導電し、その点の座標位置が入力され、各種の選択を行うことができるように構成されている。
【００２２】
（表示部の向きの変更）
図２は、表示部３Ａの向きの変更例を示す平面図である。この表示装置１は、表示部３Ａを横長に配置し、第１および第２の操作部５Ａ，５Ｂの取付け位置を図１に示す位置から図２に示す位置に変更できるように構成されている。この場合、画像の向きを操作部
５Ａ，５Ｂの操作によって変更できるようにしてもよい。
【００２３】
（操作部の位置変更構造）
図３は、図１のＢ−Ｂ線に沿う断面図、図４は、図３のＣ−Ｃ線に沿う断面図である。
【００２４】
把持部２は、図３に示すように、開口２ａを有する中空部内に設けられ、複数の係止穴２１が所定のピッチ（例えば５ｍｍ）で形成された案内部としてのステンレスからなるレール２０と、レール２０上を移動可能に設けられた複数の第１〜第４の端子ブロック２２（２２Ａ〜２２Ｄ）とを備える。なお、図３では、第１の端子ブロック２２Ａのみを示し、図４では、第１および第３の端子ブロック２２Ａ，２２Ｃのみを示す。
【００２５】
端子ブロック２２は、図３に示すように、穴２２ｂに嵌め込まれるボール２４と、ボール２４を付勢するスプリング２３と、操作部５Ａ，５Ｂに設けられた後述するプラグ５８が挿入されるジャック２２ａと、レール２０に嵌合しレール２０に沿って摺動する摺動部２２ｃを備える。第１〜第４の端子ブロック２２Ａ〜２２Ｄは、把持部２の接合部４、４間に配置されている。４つの端子ブロック２２Ａ〜２２Ｄのジャック２２ａからはケーブルが導出され、把持部２の中空部を通って制御基板３５に接続されている。
【００２６】
（操作部の姿勢変更構造）
図５は、第１の操作部の姿勢の固定方法を示し、図５（ａ）は、締付けレバーにより操作ブロック５０と基部との緊締を緩めた状態を示す平面図、図５（ｂ）は、締付けレバーにより操作ブロック５０と基部とを緊締した状態を示す平面図である。
【００２７】
第１の操作部５Ａは、前述した操作ブロック５０と、回動軸５４を介して操作ブロック５０を回動自在に支持する基部５ｂと、基部５ｂに取り付けられたプラグ５８と、操作ブロック５０の姿勢の固定およびその解除を行う締付けレバー６３とを備える。基部５ｂは、回動軸５４を軸支する第１および第２軸受５５Ａ，５５Ｂとを備える。締付けレバー６３は、基部５ｂ側に回動自在に固定されている。操作ブロック５０および端子ブロック２２は、プラグ５８をジャック２２ａに接続することにより、機械的および電気的に接続され、操作部５Ａ，５Ｂに対する通常の操作において十分な強度を有するように構成されている。
【００２８】
回動軸５４には、第１軸受５５Ａに近接して形成された操作片５９と、第２軸受５５Ｂに近接して形成された操作カム５７とが固定され。回動軸５４は、図５（ａ）に示す矢印方向に摺動自在に構成されている。
【００２９】
操作カム５７は、図５（ａ），（ｂ）に示すように、山型のカム面５７ｂを有し、締付けレバー６３は、山型のカム面５７ｂの形状に合致した谷と山とを周方向に交互に形成したレバーカム面６３ａを有し、レバーカム面６３ａの動きによって操作カム５７が軸受５５Ａ、５５Ｂ側に移動させられるようになっている。
【００３０】
図５（ｂ）に示す状態において、ユーザが締付けレバー６３を回動（図５の場合は９０°）させて、図５（ａ）のように締結を緩めると、レバーカム面６３ａとカム面５７ｂの山と谷が合致し、図５（ｂ）中下方に回動軸５４が移動し、操作ブロック５０と基部５ｂによる固定を解除することができる。ユーザは、操作ブロック５０を所望の角度に調整した後に、締付けレバー６３を回動（図５の場合は９０°）してレバーカム面６３ａの山に相当する部分とカム面５７ｂの山に相当する部分とを合致させる。締め付けレバー６３は、前述のように、基部５ｂ側に回動自在に固定されているため、カム面５７ｂが図５（ｂ）において上方に移動させられる。この移動によって、第１軸受５５Ａの当接面５５ａと操作片５９の当接面５９ａ、第２軸受５５Ｂの当接面５５ｂと操作カム５７の当接面５７ａがそれぞれ当接し、これらの間の摩擦により操作ブロック５０の回動が固定される。
【００３１】
（表示装置の制御系）
図６は、この表示装置１の制御系を示す。この表示装置１は、全体を制御する制御部１２を有し、この制御部１２に、第１および第２の操作部５Ａ，５Ｂからの操作信号および電源スイッチ７からのオン・オフ信号を入力する入力コントローラ１１と、タッチパネル３２による入力を制御するタッチパネルコントローラ１３と、ＬＣＤ３３による表示を制御するＬＣＤコントローラ１４と、ＬＣＤ３３に表示する画像データを記憶する画像メモリ１５と、外部と通信する通信部１６とを接続している。また、表示装置１は、電源スイッチ７を介して本装置１の各部に電力を供給するバッテリー９を備えている。
【００３２】
第１の操作部５Ａは、トラックボール５１を回動させることにより生じるカーソルのＸ軸方向の移動量を検出するＸ座標位置検出部６１およびカーソルのＹ軸方向の移動量を検出するＹ座標位置検出部６２と、前述したマウスボタン５２Ａ，５２Ｂとを備え、プラグ５８を介して第１〜第４の端子ブロック２２Ａ〜２２Ｄのいずれかに接続される。
【００３３】
第２の操作部５Ｂは、前述した十文字キー５３を備え、第１の操作部５Ｂと同様に、プラグ５８を介して第１〜第４の端子ブロック２２Ａ〜２２Ｄのいずれかに接続される。
【００３４】
通信部１６は、無線ＬＡＮ（Ｌｏｃａｌ  Ａｒｅａ  Ｎｅｔｗｏｒｋ）規格の通信方法等を用いて外部のサーバやＰＣ等と通信を行うものであり、外部から画像データを取り込んで画像メモリ１５に記憶されるように構成されている。なお、無線ＬＡＮの他に、Ｂｌｕｅｔｏｏｔｈ（登録商標）無線通信、ＵＳＢ（Ｕｎｉｖｅｒｓａｌ  Ｓｅｒｉａｌ  Ｂｕｓ）による通信を行ってもよい。
【００３５】
（表示装置の動作）
次に、この表示装置１の動作を説明する。まず、ユーザは、両手で把持部２を握りながら、電源スイッチ７を押下すると、制御部１２は、画像メモリ１５から初期画像を読み出してＬＣＤコントローラ１４により表示部３Ａに初期画像を表示させる。次に、ユーザがタッチパネル３２の操作、またはトラックボール５１およびマウスボタン５２Ａ、５２Ｂの操作を行うと、制御部１２は、画像メモリ１５から必要な画像を読み出してＬＣＤコントローラ１４により表示部３Ａに画像を表示させる。また、制御部１２は、表示させた画像をユーザの十文字キー５３の操作に基づき、ページめくりやスクロール表示を行う。
【００３６】
操作部５Ａ，５Ｂの位置を変えるには、図１に示すように、操作部５Ａ，５Ｂを手で持ってスライドさせ、レール２０上の係止穴２１に対応する箇所に停止させる。または、ユーザは、図４に示すように、操作部５Ａ，５Ｂのプラグ５８を端子ブロック２２のジャック２２ａから抜き取り、他の端子ブロック２２のジャック２２ａに挿入する。なお、操作部５Ａ，５Ｂを端子ブロック２２から引き出して端子ブロック２２を移動させた後、操作部５Ａ，５Ｂのプラグ５８を端子ブロック２２のジャック２２ａに挿入してもよい。
【００３７】
また、操作部５Ａ，５Ｂの姿勢を変えるには、図５で説明したように、締付けレバー６３を緩めて操作部５Ａ，５Ｂを好みの姿勢に変えた後、締付けレバー６３を締付ける。
【００３８】
（第１の実施の形態の効果）
第１の実施の形態によれば、下記の効果を奏する。
（イ）操作部５Ａ，５Ｂは、把持部２に対する位置および姿勢を変更できるため、ユーザが本装置１を持ちながら、ドキュメントの閲覧、加工、データ保存等の処理を行う際に、操作部５Ａ，５Ｂを自分の持ちやすい位置および姿勢に配置することができる。従って、本装置１を縦画面や横画面で使用する場合や、手で本装置１を持つ場所を変えた際にも、任意の位置に操作部５Ａ，５Ｂを配置することができるため、把持部２を握り直すことなく操作部５Ａ，５Ｂの操作を楽に行うことができる。
（ロ）ドーナツ状を有する把持部２の内側に複数の接合部４を介して表示部３が保持されるため、表示部３への周囲方向からの衝撃をどの方向からも吸収することができる。
（ハ）表示部３の外端面は、把持部２の外端面よりも内側に構成されているため、表示部３を平坦面の上に載置しても、表示部３は平坦面に当接しないので、表示部３を傷付けにくい。そのため、長期に渡って表示装置を使用することができる。
（ニ）把持部２の表面に微小な凹凸や多孔を有する柔軟層を形成したため、使用時、ユーザの握り手の発汗が生じても、滑ることなく把持部２を把持することができる。また、柔軟層は衝撃を吸収するため、表示部３に対する機械的衝撃から保護することができる。
（ホ）表示装置１は、把持部２と表示部３との間に手指が挿入できる間隙を有しているため、把持部２を握るだけでなく、指に引っ掛けることにより、この表示装置１を閲覧することができるので、自由な姿勢でドキュメントの閲覧をすることができる。
【００３９】
［第２の実施の形態］
図７は、本発明の第２の実施の形態に係る表示装置を示し、（ａ）は、平面図、（ｂ）は、（ａ）のＤ−Ｄ線に沿う断面図である。この表示装置１は、第１の実施の形態とは、表示部３Ｂおよび第１および第２の操作部６Ａ，６Ｂが相違する。表示部３Ｂは、画像を表示する画面部３０と、画面部３０の周囲に形成され、画面部３０を保持する筐体３１と、画像の表示、ページめくり等の操作を指示する第１および第２の操作部６Ａ，６Ｂとを備える。
【００４０】
この表示部３Ｂの筐体３１は、操作部５Ａ，５Ｂを摺動可能に保持する溝３１ａを有する。
【００４１】
第１の操作部６Ａは、操作ブロック６０と、操作ブロック６０に組み込まれたトラックボール５１、およびマウスボタン５２Ａ（５２Ｂ）とを備える。操作ブロック６０は、筐体３１の外端部を摺動可能に包囲する包囲部５ａと、溝３１ａに当接して摺動する支持部５ｃとを備え、ネジ等を緩めることにより、表面側と裏面側とに２分割にして筐体３１の溝３１ａに組み込むことできるように構成されている。第２の操作部６Ｂの操作ブロック６０も第１の操作部６Ａと同様に構成されている。なお、筐体３１全長に渡って溝３１ａを形成してもよい。これにより操作ブロック６０を分割構造にしなくても、溝３１Ａの端部から操作ブロック６０を溝３１ａに挿入可能となる。また、筐体３１側を分割構造にし、操作ブロックを溝に挿入した後、筐体３１を一体的に組み合わせてもよい。
【００４２】
（第２の実施の形態の効果）
第２の実施の形態によれば、操作部６Ａ、６Ｂを表示部３Ｂの周囲に摺動可能に取り付けられるため、操作部６Ａ、６Ｂの位置を使用者の使い易い位置に変更することができる。
【００４３】
［第３の実施の形態］
図８は、本発明の第３の実施の形態に係る表示装置を示す平面図である。この表示装置１は、第２の実施の形態とは、表示部３Ｃが２つの画面部３０Ａ，３０Ｂを有する点で異なる。この構成によれば、表示部３Ｃが２つの画面部３０Ａ，３０Ｂを有するため、同時に２種類の情報を見ることができるので、例えば、電子書籍等を読む場合に適用することができる。
【００４４】
［第４の実施の形態］
図９は、本発明の第４の実施の形態に係る表示装置を示す。この表示装置１は、第２の実施の形態において、第１の操作部６Ａと同様にデジタルカメラ７０を取り付け可能とし、デジタルカメラ７０により得られる画像データを表示部３Ｂに表示することができるようにしたものである。この構成によれば、表示部３Ｂにデジタルカメラ７０により得られる画像を表示させることができるため、プレゼンテーション等に適用することができる。
【００４５】
［第５の実施の形態］
図１０は、本発明の第５の実施の形態に係る表示装置を示す。この表示装置１は、第２の実施の形態において、第１の操作部６Ａと同様に制御基板３５に電気的に接続されるＩＣメモリ７１を取り付け可能としたものである。制御部１２は、ＩＣメモリ７１から読み出した画像を画像メモリ１５に記憶し、選択操作に基づいてＬＣＤコントローラ１４により画像をＬＣＤ３３に表示するが、画像メモリ１５を経由せずに直接ＬＣＤ３３に表示してもよい。
【００４６】
ＩＣメモリ７１として、フラッシュメモリ、磁気メモリ、光学メモリ、ＲＦＩＤタグとして利用される非接触ＩＣメモリ等のデジタルメモリを用いることができる。
【００４７】
第５の実施の形態によれば、ＩＣメモリ７１のデータの読み書きができるため、ＩＣメモリ７１を交換することにより、種々の画像データを表示することができ、画像データの交換等も容易になる。また、ＲＦＩＤタグを取り付けた場合は、非接触で外部とデータの送受信を行うことができるようになるため、画像メモリ１５に記憶するデータの書き換えを容易に行うことができる。
【００４８】
［第６の実施の形態］
図１１は、本発明の第６の実施の形態に係る表示装置を示す。この表示装置１は、第２の実施の形態において、第１の操作部６Ａと同様に制御基板３５に電気的に接続される音声マイク７２を取り付け可能とし、制御基板３５の音声認識部を搭載して音声の録音および再生ができるようにしたものである。この構成によれば、音声マイク７２を搭載したため、音声データを利用した画像の表示が可能となる。また、音声認識部を搭載したため、ページめくり、表示画像の拡大・縮小等の制御を音声により指示することができる。
【００４９】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【００５０】
図７、図９、図１０、図１１に示す構成において、第２の操作部を備えてもよく、操作部は画面部に対する角度を調整可能な角度調整機構を有していてもよい。
【００５１】
また、表示部として、上記ＬＣＤ（液晶ディスプレイ）の他に、ＥＬＤ（エレクトロルミネッセンスディスプレイ）、ＰＤＰ（プラズマディスプレイ）、ＶＦＤ（蛍光表示管ディスプレイ）、ＬＥＤ（発光ダイオード）ディスプレイ、ＦＥＤ（電界放出ディスプレイ）等のフラットディスプレイを用いてもよい。
【００５２】
また、座標入力構造として上記抵抗膜方式（感圧方式）の外に、電磁誘導方式，静電結合方式，超音波表面弾性波方式，赤外線遮光方式等を用いてもよい。また、ＬＣＤ３３に単純マトリックス型ＬＣＤを用い、このＬＣＤにタッチパネルの機能を持たせて静電結合方式により座標を検出してもよい。これにより別途タッチパネルを設ける必要がないため、画面部を薄型化することができる。
【００５３】
また、本発明は、紙のように見やすい表示や無電源での表示維持性を目指した各種電子ペーパ技術、例えば、ＥＰＩＤ（電気泳動表示素子）、トナーディスプレイ、コレステリック液晶ディスプレイ、強誘電液晶ディスプレイ、ＥＣＤ（エレクトロクロミックディスプレイ）、エレクトロデポジション、Ｔｗｉｓｔｉｎｇ  Ｂａｌｌ  Ｄｉｓｐｌａｙ等）に適用してもよい。
【図面の簡単な説明】
【００５４】
【図１】本発明の第１の実施の形態に係る表示装置を示し、（ａ）は、正面図、（ｂ）は、（ａ）のＡ−Ａ線に沿う断面図である。
【図２】表示装置の配置例を示す平面図である。
【図３】図１のＢ−Ｂ線に沿う断面図である。
【図４】図３のＣ−Ｃ線に沿う断面図である。
【図５】第１の操作部の操作ブロックの固定方法を示し、（ａ）は、締付けレバーにより操作ブロックと基部との緊締を緩めた状態を示す平面図、（ｂ）は、締付けレバーにより操作ブロックと基部とを緊締した状態を示す平面図である。
【図６】本発明の第１の実施の形態に係る表示装置の制御系を示すブロック図である。
【図７】本発明の第２の実施の形態に係る表示装置を示し、（ａ）は、平面図、（ｂ）は、（ａ）のＤ−Ｄ線に沿う断面図である。
【図８】本発明の第３の実施の形態に係る表示装置を示す平面図である。
【図９】本発明の第４の実施の形態に係る表示装置を示す平面図である。
【図１０】本発明の第５の実施の形態に係る表示装置を示す平面図である。
【図１１】本発明の第６の実施の形態に係る表示装置を示す平面図である。
【符号の説明】
【００５５】
１  表示装置
２  把持部
２ａ  開口
３Ａ，３Ｂ，３Ｃ，３Ｄ  表示部
４  接合部
５  操作部
５Ａ、６Ａ  第１の操作部
５Ｂ、６Ｂ  第２の操作部
５ａ  包囲部
５ｂ  基部
７  電源スイッチ
８  タッチパネル用ペン
９  バッテリー
１１  入力コントローラ
１２  制御部
１３  タッチパネルコントローラ
１４  コントローラ
１５  画像メモリ
１６  通信部
２０  レール
２１  係止穴
２２，２２Ａ，２２Ｂ，２２Ｃ，２２Ｄ  端子ブロック
２２ａ  ジャック
２２ｂ  穴
２２ｃ  摺動部
２３  スプリング
２４  ボール
３０，３０Ａ  画面部
３１  筐体
３１ａ  溝
３２  タッチパネル
３４  導光板
３５  制御基板
３６  冷陰極管
５０  操作ブロック
５１  トラックボール
５２Ａ，５２Ｂ  マウスボタン
５３  十文字キー
５４  回動軸
５５Ａ，５５Ｂ  軸受
５５ａ，５５ｂ  当接面
５７  操作カム
５７ａ  当接面
５７ｂ  カム面
５８  プラグ
５９  操作片
５９ａ  当接面
６０  操作ブロック
６１  Ｘ座標位置検出部
６２  Ｙ座標位置検出部
６３  レバー
６３ａ  レバーカム面
７０  デジタルカメラ
７１  メモリ
７２  音声マイク
【図１】
2005339239.tif 000003
【図２】
2005339239.tif 000004
【図３】
2005339239.tif 000005
【図４】
2005339239.tif 000006
【図５】
2005339239.tif 000007
【図６】
2005339239.tif 000008
【図７】
2005339239.tif 000009
【図８】
2005339239.tif 000010
【図９】
2005339239.tif 000011
【図１０】
2005339239.tif 000012
【図１１】
2005339239.tif 000013